(57)【要約】      （修正有）【課題】吸収性物品は、吸収性物品内の深みの知覚をもたらす吸収性物品の最上部表面から見ることが可能なシグナルを提供する。【解決手段】上部表面、下部表面、及び周辺部を有する吸収性物品１０を提供し、該周辺部は、底部表面と、底部表面の反対側に配置された見える表面とを有するトップシート２５を備える。見える表面は、吸収性物品の上部表面の方向に上向きを向いている。吸収性物品は、衣類に面する表面と、衣類に面する表面の反対側に配置されたユーザに面する表面とを有するバックシートを更に包含し、このバックシートはトップシートに接合されている。【選択図】図１
2010155099.tif 000002
【特許請求の範囲】
【請求項１】
底部表面と、該底部表面の反対側に配置され吸収性物品の上部表面の方向に上向きの見える表面とを有するトップシート；
衣類に面する表面と、該衣類に面する表面の反対側に配置されたユーザに面する表面とを有し、該トップシートに接合しているバックシート；
最上部表面と、該最上部表面の反対側に配置された底部表面とを有し、該トップシート及び該バックシートの間に配置されている吸収性コア；
からなる上部表面、下部表面、及び周辺部を有する吸収性物品であって、
少なくとも二つの部分、着色部分及び非着色部分を有し、該着色部分及び該非着色部分が、該トップシートの見える表面から見え、該着色部分が少なくとも二つの色調、第１色調及び第２色調を有し、該第１色調が実質的に該第２色調中に配置され、該第２色調が該第１色調とは異なり、ユーザーが該トップシートの見える表面を見るときに、少なくとも該２つの色調が作用して吸収性物品内に深みの知覚を創り出す吸収性物品。
【請求項２】
前記第１色調が前記第２色調よりも暗い、請求項１に記載の吸収性物品。
【請求項３】
前記着色部分の第１色調及び第２色調と前記非着色部分とが、ハンター反射率メーターテストによって色のＬ、ａ、及びｂの値により測定され、該Ｌ、ａ、及びｂの値が、前記吸収性物品の周辺部におけるトップシート内側の見える表面から測定される、請求項１または２に記載の吸収性物品。
【請求項４】
前記着色部分と前記非着色部分との間の色の違いが、前記吸収性物品の周辺部におけるトップシート内側の見える表面上の第１点、第２点、及び第３点で測定され、該第１点が、前記第１色調内で測定され、該第２点が前記第２色調内で測定され、並びに該第３点が該吸収性物品の該非着色部分内で測定され、該色の違いが、前記Ｌ、ａ、及びｂの値を使用して式ΔＥ＝［（Ｌ＊X．−Ｌ＊Y）2＋（ａ＊X．−ａ＊Y）2＋（ｂ＊X−ｂ＊Y）2］1/2によって計算される、請求項１〜３のいずれか一項に記載の吸収性物品。
【請求項５】
前記第１色調と前記第２色調との間の色の違いが、少なくとも３．５である請求項１〜４のいずれか一項に記載の吸収性物品。
【請求項６】
前記第１色調と前記非着色部分との間の色の違いが、少なくとも６、好ましくは少なくとも３．５である請求項１〜５のいずれか一項に記載の吸収性物品。
【請求項７】
前記着色部分の寸法が、前記トップシートの見える表面の約５％〜約９８％の範囲にある、請求項１〜８のいずれか一項に記載の吸収性物品。
【請求項８】
前記着色部分の第１色調が、前記着色部分の第２色調に対して中央に配置されている、請求項１〜８のいずれか一項に記載の吸収性物品。
【請求項９】
前記着色部分が、前記トップシートと前記吸収性コアとの間に配置された挿入物であり、好ましくは、該着色部分が該トップシートの下に配置された多重層の挿入物である、請求項１〜８のいずれか一項に記載の吸収性物品。
【請求項１０】
前記着色部分が前記トップシートの一部分を形成する、請求項１〜９のいずれか一項に記載の吸収性物品。
【発明の詳細な説明】
【技術分野】
【０００１】
本発明は、少なくとも一色の、多数の明暗シグナルを有する吸収性物品を提供する。ユーザが吸収性物品のトップシート表面を見ると、多数の明暗シグナルの効果によって深みの知覚が創り出される。
【背景技術】
【０００２】
吸収性物品の最上部表面上またはその下に印刷することは当該技術分野において既知である。汚れを覆うシグナルを創り出すための印刷も既知である。例えば、女性の月経期間中の、目障りな汚れの問題を克服することが開示されてきている。開示または教示されてきていないことは、物品がその最上部または見える表面から一覧される時、吸収性物品に深みの知覚を付与するシグナルを創り出すための、多数の明暗の印刷使用である。吸収性物品内に深みの知覚が創り出され、分泌物が製品の内側深くに引っ張られてユーザの体から離れることで、ユーザは吸収性物品の使用前及び使用中に安心感を得る。
【０００３】
革新的なトップシート材料、第２トップシート材料、吸収性ゲル化材料、及び通気性バックシートの使用により、吸収性物品、特に衛生ナプキンにおける技術は著しく進歩してきており、経血及び他の分泌物を吸収して女性の体から離す、優れていないとしても非常に適切である製品を女性に提供している。しかし、この技術の多くが隠されているため、見ることは可能ではない。見えたとしてもこの強化された技術の存在が、吸収性構成要素を通してユーザに、容易にまたは視覚的に伝達されていないことが多い。
【発明の開示】
【発明が解決しようとする課題】
【０００４】
消費者に吸収性物品の強化された機能の存在を伝達できることは、いかなる吸収性物品にとっても優れた利点である。故に、多数の明暗シグナルを使用することが考案されて、こうした伝達の問題を扱い始めてきた。現在市販されている製品のほぼ全てが、主要な製品の機能として、製品の強化された機能力を伝えることよりも経血を隠すことを目的として有するために、特にこうした伝達の問題が浮き彫りになる。本発明の技術は、そうした隠すことを目的とする一明暗のシグナル使用例を充分掲載している。
【０００５】
吸収性物品内に深みの知覚を創り出すことによって、強化された機能特性を伝達することは、この問題を解決するための独特で新規な一手法であり、この問題は、この手法を実施へと還元するに先立つ従来技術において、教示、示唆、または開示されてはいない。ある色の多数の（すなわち、少なくとも二つの）明暗、及び／または多数の色調及び多数の色を共に使用することで深みの知覚が創り出され、ユーザが一旦、吸収性物品の見える表面から多数の明暗の外形を見ると、深みの知覚が創り出されたことによって保護が良好で且つ機能が強化されたという信念がユーザに生じ得、そのような知覚は、吸収性物品の着用中及び着用後を通じて継続する。
【課題を解決するための手段】
【０００６】
それ故に、本発明は上部表面、下部表面、及び周辺部を有する吸収性物品を提供し、該周辺部は、底部表面と、底部表面の反対側に配置された見える表面とを有するトップシートを備える。見える表面は、吸収性物品の上部表面の方向に上向きを向いている。吸収性物品は、衣類に面する表面と、衣類に面する表面の反対側に配置されたユーザに面する表面とを有するバックシートを更に包含し、このバックシートはトップシートに接合されている。
【０００７】
吸収性コアは、最上部表面と、最上部表面の反対側に配置された底部表面とを有する。吸収性コアは、トップシートとバックシートとの間に配置されている。吸収性物品の見える表面は、必ずではないが好ましくは、少なくとも二つの部分、すなわち、着色部分及び非着色部分を有する。着色部分及び非着色部分は、トップシートの見える表面から一覧できる。着色部分は、少なくとも二つの色調、第１色調及び第２色調を有する。第１色調は、実質的に第２色調中に配置される。第２色調は、明るさ、暗さ、及び／または色のいずれかにおいて第１色調とは異なる。多数の色調が作用して、ユーザがトップシートの見える表面上を見ると、吸収性物品内に、深みの知覚が創り出される。本明細書における一実施形態では、色の第１色調は、色の第２色調よりも暗い。或いは、第１色調は第２色調よりも明るい。
【０００８】
着色部分の第１色調及び第２色調と、非着色部分との色は、反射率分光分析装置のＡＳＴＭ（米国材料試験協会）標準試験方法によって測定される。三刺激のＬ＊、ａ＊、ｂ＊の値は、吸収性物品の周辺部内部のトップシートの見える表面から測定される。これらのＬ＊、ａ＊、ｂ＊の値は、ＣＩＥ（米国民間情報教育局）の１９７６年のカラーコーディネート（色彩調整）標準に基づいて報告されている。着色部分と非着色部分との色の違いは、吸収性物品の周辺部内部におけるトップシートの見える表面上の第１点、第２点、及び第３点で測定される。好ましくは、示された点（すなわち、１、２、及び３）の各々は、吸収性コアの周辺部内に充分に存在する。例えば、第１点は第１色調内で測定され、第２点は第２色調内で測定されると共に、第３点は吸収性物品の非着色部分内で測定される。色の違いは、ＡＳＴＭのＤ２２４４−９９の方法「器械測定されたカラーコーディネートからの色違い計算のための標準的試験方法」によって計算される。
【０００９】
第１色調と第２色調との色の違い（すなわち、ΔＥ＊）は、少なくとも３．５でなければならない。ΔＥ＊は、式ΔＥ＊＝［（Ｌ＊X．−Ｌ＊Y）2＋（ａ＊X．−ａ＊Y）2＋（ｂ＊X−ｂ＊Y）2］1/2によって計算される。Ｘは、点１、２、または３を表わすこともできる。Ｙも、点１、２、または３を表わすこともできる。Ｘ及びＹは、同時に測定の同一の２点であってはならない。換言すれば、Ｘ≠Ｙである。第１色調と非着色部分との色の違いは、少なくとも６である。第２色調と非着色部分との色の違いは、少なくとも３．５である。好ましくは、着色部分の寸法は、トップシートの見える表面の約５％〜約１００％の範囲である。同様に、着色部分の第１色調は、着色部分の第２色調に対して実質的に中央に配置されることが好ましい。しかし、深みの知覚現象が創り出されるように色調が相互に適切な空間的関係にある限り、いかなる好適な色調の配置でもふさわしく且つ当業者により予知可能である。従って、これは本発明の好適な代替実施形態として認められる。
【００１０】
本明細書の一実施形態では、着色部分は、トップシートと吸収性コアとの間に配置された挿入物であることも可能である。別の一実施形態では、着色部分は、トップシートの一部を形成する。本明細書の更なる一実施形態では、着色部分は吸収性コアの一部を形成し、それによって着色部分はトップシートの見える表面から見ることが可能である。或いは、着色部分は、トップシートの下に配置された多重層の挿入物でもあり得る
トップシートの見える表面から着色部分を容易に見ることが可能ないかなるトップシート材料でも好適である。例えば、形成されたフィルム材料、不織布、当該技術分野において既知の他のトップシート材料、またはそれらの組み合わせが好ましい。
【００１１】
本明細書における一代替実施形態では、吸収性物品は、着色部分を示すと共に、非着色部分が実質的にない。着色部分は、トップシートの見える表面から見ることが可能で、少なくとも二つの色調、第１色調及び第２色調を有する。第１色調は、実質的に第２色調中に配置され、第２色調は第１色調と異なる。ユーザがトップシートの見える表面上を見ると、少なくとも二つの色調が作用して吸収性物品内で深みの知覚が創り出される。
【発明を実施するための最良の形態】
【００１２】
本発明の明細は、本発明を形成すると見なされる主題を詳しく示し、明確に特許請求する請求項によって結論付けているが、添付図面を用いた以下の説明により更に理解しやすくなると考えられる。図面における同種の表記番号は実質的に同じ要素を示すために用いる。
【００１３】
本明細書で使用する「吸収性物品」とは、主に衛生ナプキン、パンティーライナー、または下着の股領域において着用される失禁パッドを指す。慣習的に下着と共に着用されないとしても、赤ちゃん用おむつ、成人失禁者用おむつ、及び排泄物処理装置が本発明から恩恵を受けるとさえ考え得る。
【００１４】
本明細書で使用する用語「色」には、あらゆる原色、すなわち、白、黒、赤、青、紫、オレンジ、黄色、緑、及び藍色、並びにそれらのうすめの色またはそれらの混合色が挙げられる。用語「ノンカラー」または「非着色」は、白色を指し、少なくとも９０のＬ＊値、０±２に等しいａ＊値、及び０±２に等しいｂ＊値を有する色として更に定義される。
【００１５】
本明細書における用語「使い捨て」は、洗濯される、或いは吸収性物品として復元されるまたは再利用されることを意図しない（すなわち一回の使用後に捨てられる、好ましくはリサイクルされる、堆肥にされる、或いは環境的に適合性のある方法で処理されることを意図する）吸収性物品を指す。
【００１６】
深みの知覚を創り出すために作用する多数の明暗シグナルを備えることが可能なパンティーライナー及び衛生ナプキンの非制限的な例には、オハイオ州、シンシナティー（Cincinnati, Ohio）のプロクターアンドギャンブル社（The Procter & Gamble Company）によって製造されたもの：米国特許第４，３２４，２４６号、第４，４６３，０４５号、及び第６，００４，８９３号により製造されたドリウィ−ブ（DriWeave）（登録商標）を有するオールウェイズ（ALWAYS）（登録商標）パンティーライナー；並びに米国特許第４，３４２，３１４号、第４，４６３，０４５号、第４，５５６，１４６号、第Ｂ１４，５８９，８７６号、第４，６８７，４７８号、第４，９５０，２６４号、第５，００９，６５３号、第５，２６７，９９２号、及び第Ｒｅ．３２，６４９号により製造された、ウイングを有するオールウェイズ（ALWAYS）（登録商標）ウルトラシンスレンダーマキシ（Ultrathin Slender Maxi）；オールウェイズ（ALWAYS）（登録商標）レギュラーマキシ（Regular Maxi）；ウイングを有するオールウェイズ（ALWAYS）（登録商標）ウルトラマキシ（Ultra Maxi）；ウイングを有するオールウェイズ（ALWAYS）（登録商標）マキシ（Maxi）；ウイングを有するオールウェイズ（ALWAYS）（登録商標）ウルトラロングマキシ（Ultra Long Maxi）；ウイングを有するオールウェイズ（ALWAYS）（登録商標）ロングスーパーマキシ（Long Super Maxi）；及びウイングを有するオールウェイズ（ALWAYS）（登録商標）オーバーナイトマキシ（Overnight Maxi）が挙げられ、上述の出版物の各々を参考として引用し本明細書に組み込む。
【００１７】
図１は、吸収性物品１０の斜視図を示す。図２は、図１の吸収性物品の平面図を示す。本明細書の吸収性物品１０は、上部表面１３と、下部表面１４（図示せず）と、トップシート２５を包含する周辺部１２とを有する。トップシート２５は、底部表面２７（図示せず）と底部表面２７の反対側に配置された見える表面２８とを有する。見える表面２８は、吸収性物品１０の上部表面１３の方向に上向きを向く。吸収性物品１０は、衣類に面する表面１６（図示せず）と衣類に面する表面１６の反対側に配置されたユーザに面する表面１７（図示せず）とを有するバックシート１５（図示せず）を更に含み、バックシートはトップシート２５に接合されている。
【００１８】
吸収性物品１０は、最上部表面２１及び最上部表面２１の反対側に配置された底部表面２２（図示せず）を有する吸収性コア２０をも含む。吸収性コア２０は、トップシート２５とバックシート１５との間に配置されている。図１に示される実施形態では、吸収性物品１０は、少なくとも二つの部分、すなわち着色部分４０と非着色部分５０とを有する。着色部分４０及び非着色部分５０は、トップシート２５の見える表面２８から見ることが可能である。着色部分４０は、少なくとも二つの色調、第１色調４２及び第２色調４４を有する。必然ではないが、好ましくは、図１に示されるように、第１色調４２は、第２色調４４中に実質的に配置される。第２色調４４は、明るさ、暗さ、及び／または色のいずれかにおいて第１色調４２と異なる。ユーザがトップシート２５の見える表面２８上を見ると、多数の色調が作用して吸収性物品内で深みの知覚が創り出される。本明細書の一実施形態では、色の第１色調４２は、色の第２色調４４よりも暗い。或いは、第１色調４２は、第２色調４４よりも明るい。色調の明るさ及び暗さは、二つ以上の色調であっても、ユーザが吸収性物品１０の見える表面２８上を見ると深みの知覚を創り出すように形成される。
【００１９】
着色部分４０の第１色調４２及び第２色調４４と、非着色部分５０との色は、反射率分光分析装置によって色のＬ＊、ａ＊、及びｂ＊の値により測定される。これらのＬ＊、ａ＊、及びｂ＊の値は、吸収性物品の周辺部１２内部のトップシート２５の見える表面２８から測定される。着色部分４０と非着色部分５０との色の違いは、吸収性物品１０の周辺部１２内部のトップシート２５における見える表面２８上の第１点１００、第２点１１０、及び第３点１２０で測定される。好ましくは、各点１００、１１０、及び１２０は、吸収性コア２０の周辺部１２内に充分存在する。例えば、第１点１００は第１色調４２内で測定され、第２点１１０は第２色調４４内で測定されると共に、第３点１２０は吸収性物品１０の非着色部分５０内で測定される。
【００２０】
色の違いは、式ΔＥ＝［（Ｌ＊X．−Ｌ＊Y）2＋（ａ＊X．−ａ＊Y）2＋（ｂ＊X−ｂ＊Y）2］1/2により、Ｌ＊、ａ＊、及びｂ＊の値を使用して計算される。本明細書では、等式における「Ｘ」は、点１、２、または３を表わすことも可能である。Ｙは、点１、２、または３を表わすこともできる。Ｘ及びＹは、同時に測定の同一の２点であってはならない。換言すれば、Ｘ≠Ｙである。一色または二色以上の色の二つより多い色調が使用される場合、「Ｘ」及び「Ｙ」の値は、それ自体の中に測定点も交互に含む。本明細書におけるΔＥの計算への鍵は、「Ｘ」及び「Ｙ」の値が、見える表面上の同一測定点から生じるべきではないことである。実際には、測定区域の範囲内に非着色部分５０がない場合、「Ｘ」の値は「Ｙ」の値との空間的関係において異なる点から生じるが、吸収性コアの周辺部の範囲内には存在すべきである（図４参照）。
【００２１】
第１色調４２と第２色調４４との色の違い（ΔＥ＊）は、少なくとも３．５でなければならない。第１色調４２と非着色部分５０との色の違いは、少なくとも６である。第２色調４４と非着色部分５０との色の違いは、少なくとも３．５である。
【００２２】
好ましくは、着色部分５０の寸法は、トップシート２５の見える表面２８の約５％〜約１００％の範囲である。同様に、好ましくは、着色部分５０の第１色調４２は、着色部分５０の第２色調４４に対して実質的に中央に配置される。しかし、深みの知覚現象が創り出されるように色調が相互に適切な空間的関係にある限り、いかなる好適な色調の配置でも当業者により予知可能であり、本発明の好適な代替実施形態として認められる。本明細書の一実施形態では、着色部分４０は、トップシート２５と吸収性コア２０との間に配置された挿入物であることも可能である。別の一実施形態では、着色部分４０は、トップシート２５の一部を形成する。
【００２３】
本明細書の更なる一実施形態では、着色部分４０は、吸収性コア２０の一部を形成して、着色部分４０は、トップシート２５の見える表面２８から見ることが可能である。或いは、着色部分４０は、トップシート２８の下に配置された多重層の挿入物でもあり得る。
【００２４】
トップシート２５の見える表面２８から着色部分を容易に見ることが可能ないずれかのトップシート材料が好適である。例えば、形成されたフィルム材料、不織布、またはそれらの組み合わせが好ましい。
【００２５】
本明細書の一代替実施形態では、吸収性物品１０は着色部分４０を示し、そこではトップシート２５の見える表面２８に、非着色部分が実質的にない状態で存在する。「非着色部分が実質的にない」という用語によって本明細書では、白色が、見える表面２８の全表面積の５％以下であることを意味する。図３は、第１色調４２がより明るく、第２色調４４がより暗い吸収性物品を示す。
【００２６】
同様に、別の実施形態では第１色調４２及び第２色調４４の色と異なる色が、二つの色調間の境界として作用する。換言すれば、この境界４８（図示せず）は、第２色調４４の外側の周辺部を取り囲むと共に、第２色調４４を第１色調４２から分離する。
【００２７】
（分析的方法−ハンターカラー）
本発明による吸収性物品の材料の暗さ／明るさを画定するために本明細書で使用される色の等級の値は、広く受け入れられているＣＩＥ（米国民間情報教育局）実験等級である。測定は、ハンターカラー反射率メーターで行われる。この方式の完全な技術的説明は、Ｒ．Ｓ．ハンター（R.S.Hunter）による記事「光電カラー差違メーター」米国光学学会会報第４８巻９８５〜９９５ページ、１９５８年に見出すことができる。ハンター等級で色を測定するために特別に設計された装置が、１９６１年１０月１０日にハンター（Hunter）らに発行された米国特許第３，００３，３８８号に説明されている。一般に、ハンターカラーの「Ｌ」の等級値が、光反射率測定の単位であり、より明るい色の材料が、より多くの光を反射するので、値が高い程、色は明るい。特に、ハンターカラー方式において「Ｌ」等級は、１００に等しい区分の単位を含む。純粋な黒は、等級の最低部にあり（Ｌ＝０）、純粋なホワイトは、等級の最上部にある（Ｌ＝１００）。故に、本発明による吸収性物品において使用される材料のハンターカラー値の測定において、「Ｌ」等級値が低い程、材料は暗くなる。本明細書における吸収性物品、及び該吸収性物品が作製される材料は、本明細書で画定したＬハンター値に合うならば、いずれの色でもよい。
【００２８】
色は、国際的に認められた色の３次元立体ダイヤグラムによって測定されることができ、肉眼で知覚される全ての色が数値コードに変換される。ＣＩＥ実験方式は、ハンターＬ、ａ、ｂに類似していると共に、３次元、特にＬ＊、ａ＊、及びｂ＊に基づいている。
【００２９】
色がこの方式によって定義される時、Ｌ＊は、明るさ（０＝黒、１００＝白）を表わし、ａ＊及びｂ＊は独立してそれぞれ二つの色軸、ａ＊は赤／緑軸（＋ａ＝赤、−ａ＝緑）、ｂ＊は黄／青軸（＋ｂ＝黄色、−ｂ＝青）を表わす。図４は、Ｌ、ａ、及びｂ軸の適切な描写を示している。
【００３０】
色は、独特のΔＥ値（すなわち、一部の基準または参考資料と色が異なる）によって確認することも可能で、その値は、次の等式よって数学的に表される：
ΔＥ＊＝［（Ｌ＊X．−Ｌ＊Y）2＋（ａ＊X．−ａ＊Y）2＋（ｂ＊X−ｂ＊Y）2］1/2
「Ｘ」は、「白」の試料または「着色」試料のいずれでも可能な標準または参考試料を表し、例えば、一つの着色した色調を別の着色した色調と対照することも可能である。
【００３１】
本明細書で考察される三刺激カラー値及びΔＥ＊は、関係する物質上で測定されるものであると理解すべきである（例えば、本明細書で開示されるトップシートの見える表面上の着色及び非着色部分）。
【００３２】
ハンターカラーメーターは、試料から検出器に反射される入射光の量（％）を定量的に決定する。この器具は、反射した光の分光内容を分析することもできる（例えば、どれだけ多くの緑が試料中にあるか）。ハンターカラーメーターは、３つの値（Ｌ＊、ａ＊、ｂ＊、及び全部の色であるΔＥ＊）を生じるように形成されている。Ｌ＊の値は単純に、目標試料を外れて検出器で反射される入射（供給）光の割合である。光る白の試料は、１００に近いＬ＊の値を生じる一方、どどんよりした黒の試料は、約０のＬ＊の値を生じる。ａ＊及びｂ＊の値は、試料用分光情報を含む。正のａ＊の値は、試料中の緑の量を指す。
【００３３】
試験は、実験スキャン（走査）ＸＥ４５／０ジオメトリー（外形）器具を使用して行われ、視覚シグナル帯域の異なる色調の選択肢を測定する。ＣＩＥ実験等級の２℃におけるハンターカラーを、三部分における各パッド上で測定した。０．５０インチ（１．３ｃｍ）の視界区域を有する直径０．７インチ（１．８ｃｍ）の穴が使用され、それは、各帯域を別個に測定し得る最大寸法であり、すなわち、この０．５インチ（１．３ｃｍ）の視界区域は、これらの測定目的に照らし重要であると共に、定められた０．５インチ（１．３ｃｍ）の視界区域より小さく作製されるべきではない。器具は、器具製造者によって供給された標準的な白タイル及び黒タイルを使用して測定した。
【００３４】
（パッドトップシートの外観のための色帯域の測定）
本明細書における本発明のＬ＊、ａ＊、及びｂ＊を測定するため、標準の工業的に認められた手順が使用される。トップシートの色は、ＡＳＴＭのＥ１１６４−９４の方法「目的色評価への分光分析データを得るための標準的な実施」により、反射率分光分析装置を使用して測定される。この標準的な方法に従うが、ここでは明瞭にするために特定の器具設定及び試料手順を示す。試料の色は、ＡＳＴＭのＥ１１６４−９４及びＡＳＴＭのＤ２２６４−９３のセクション６．２に明記されているＣＩＥの１９７６年のカラーコーディネート標準によって報告されている。これは、３つの値：試料の「明るさ」を測定するＬ＊、赤色度または緑色度を測定するａ＊、及び黄色度または青色度を測定するｂ＊からなる。
【００３５】
（装置）
【００３６】
【表１】
2010155099.tif 000003
【００３７】
（設備の準備）
１．分光分析装置が次のように設定されていることを確認する：
【００３８】
【表２】
2010155099.tif 000004
２．試験を開始する前に、製造者の指示による器具と共に供給された標準的な黒色タイル及び白色タイルを使用して、分光分析装置を測定する。
【００３９】
（試料の調製）
１．身体に面する表面の色に触れることなく、またはその色を変えることなく、製品またはパッド試料の包装を解き、広げ、平たく置く。
２．製品の身体に面する表面上の区域が測定のために選択され、次を含まねばならない：
・トップシートの非着色部分。
・二つ以上の色調の部分を含むトップシートの着色部分。
・第１色調の帯域と視覚的にまたは測定上異なる色を有する、吸収性コアの上のトップシートの他の部分。浮き出た溝及び折り目が適切な結果を歪めることがあるので、それらは測定帯域に含まれるべきではない。測定は、二つの色調の部分での境界に重なるように行われるべきではない。
【００４０】
（試験手順）
１．器具製造者の指示によりハンター比色計を操作する。
２．パッドは、器具上の０．７０インチ（１．８ｃｍ）の開口の上に平らに置いて測定すべきである。白色タイルは、パッドの後ろに配置する。
３．パッドは、その長い方向を器具に垂直に配置する。
４．少なくとも３つの複製の試料について、上記で選択された帯域と同じ帯域を測定する。
【００４１】
（計算の報告）
１．報告された結果が間違いなくＣＩＥのＬ＊、ａ＊、ｂ＊であることを確認する。
２．Ｌ＊、ａ＊、ｂ＊の値を０、１単位で記録する。
３．測定された各帯域について平均値Ｌ＊、ａ＊、ｂ＊を得る。
４．異なる色調の部分間のΔＥ＊と、非着色部分が存在する各色調の部分と非着色部分との間のΔＥ＊とを計算する。
【００４２】
（光に対する人の感性）
暗緑色の明るさについての人の感性の閾値は、約１．０のΔＥ＊である。暗緑色について、ａ＊及びｂ＊のみが変化する場合、人の感性は、２．４のΔＥ＊である。本明細書における吸収性物品の内容において（例：衛生ナプキン）、ΔＥ＊が２未満である場合には、多くの人が色の違いを見ないことが非常に多い。この感性が次の参考資料：ハンター（Hunter）及びハロルド（Harold）による「外観の測定」（The
Measurement of Appearance）第２版、１９８７年（ＩＳＢＮ０−４７１−８３００６−２）に説明されている。
【００４３】
ハンターの本の第４章では、人の色の感性について説明し、第９章では、色の等級について説明している。並べて比較することによって、人は５００万〜１０００万までの異なる色を識別し得る。１９４０年代にマックアダム（MacAdam）という研究者が人の色度の識別実験を行った。マックアダム（MacAdam）は、感性の閾値を見出し、これらが色に依存するものであることを示した。ブラウン（Brown）及びマックアダム（MacAdam）によるその後の研究は、人の感性のための対数による明るさの次元の等級が、先の色の等級と合うことを見出した。ブラウン（Brown）及びマックアダム（MacAdam）による発明、実験、及び前述の研究を実施へと還元することに基づいて、ΔＥ≧３．５が、適切な深みの外観を提供する色調間の正確な識別をもたらすのに好ましい範囲であることが、本明細書において判明した。しかし、ΔＥが小さく約１程度であり且つ尚も作用して色調間の深みの知覚をもたらす場合、このΔＥも、本明細書において考察され、本明細書に含まれる。ΔＥが、１以上の色の少なくとも二つの色調間にあることも可能な一例が、吸収性物品の見える表面を横切る、多数の色及び／または色の色調の濃淡をもたらす別の一実施形態において見出すこともできる。
【００４４】
【表３】
2010155099.tif 000005
前記のように、第１色調と第２色調との色の違いは、少なくとも３．５でなければならない。第１色調と非着色部分との色の違いは、少なくとも６である。第２色調と非着色部分との色の違いは、少なくとも３．５である。実験及び本発明の実施への還元を通して、好ましい深みの知覚を創出は、これらの設定されたパラメータ付近で且つパラメータ以上で起こることが確定している。測定帯域内に非着色部分を実質的に有さない製品（すなわち、濃淡のあるまたは充分に着色した製品）における色調の部分（すなわち、ΔＥ＊≧３．５）の上記の基準は、優先された標準のままである。
【００４５】
上記の表Ｉは、多数の明暗（例：二つの明暗）のシグナルと単一の明暗シグナルとの間で得られたΔＥ＊を明確に示している。本明細書における本発明に有用な形成したフィルム及び不織布は、光の充分な透過を可能にして、色調の部分が明確に識別されることがあり、そうした識別が深みの知覚を生じる。色は、本明細書におけるパラメータ内の、着色部分と非着色部分（存在する場合）との間のΔＥ＊に適合するいずれの好適な色でも可能である。例えば、緑、青、赤、黄色、オレンジ、紫などの色、及びカラースペクトル内のいかなる他の全ての色が、本明細書において説明された目的に好ましい。
【００４６】
試料番号１及び２は、それらのΔＥ＊23において明瞭である。特に、（６．１０である）ΔＥ＊23は、３．５より大きい。このΔＥ23は、測定の２点間に、すなわち、第２色調の部分と非着色（または白い）部分との間に、色または明るさ／暗さにおける知覚可能な違いがあることを指している（図４参照）。人の知覚について上述したように、０．２５の試料番号２のΔＥ＊２３は、肉眼では知覚可能ではない。これは、シグナルが１つのまたは単一明暗シグナル（すなわち、カラー部分）のみであることを指している。
【００４７】
本特許出願で言及する全ての特許、特許出願（及び出願した結果発行されたあらゆる特許、並びに対応する発行済みのあらゆる外国の特許出願）及び刊行物の開示は、本明細書に参考として組み込まれる。但し、本明細書に参考として組み込まれる文献のいずれも、本発明を教示または開示することを容認するものではないことを明言する。また、本明細書で記載する市販材料または製品のいずれかが、本発明の教示または開示することを認めるものではないことも明言する。
【図面の簡単な説明】
【００４８】
【図１】吸収性物品の斜視図である。
【図２】図１の吸収性物品の平面図である。
【図３】図１の別の一実施形態における平面図である。
【図４】図１の吸収性物品の適切な試験形態の平面図である。
【図１】
2010155099.tif 000006
【図２】
2010155099.tif 000007
【図３】
2010155099.tif 000008
【図４】
2010155099.tif 000009
【手続補正書】
【提出日】平成22年3月8日(2010.3.8)
【手続補正１】
【補正対象書類名】特許請求の範囲
【補正対象項目名】全文
【補正方法】変更
【補正の内容】
【特許請求の範囲】
【請求項１】
底部表面と、該底部表面の反対側に配置され吸収性物品の上部表面の方向に上向きの見える表面とを有するトップシート；
衣類に面する表面と、該衣類に面する表面の反対側に配置されたユーザに面する表面とを有し、該トップシートに接合しているバックシート；
最上部表面と、該最上部表面の反対側に配置された底部表面とを有し、該トップシート及び該バックシートの間に配置されている吸収性コア；
からなる上部表面、下部表面、及び周辺部を有する吸収性物品であって、
少なくとも二つの部分、着色部分及び非着色部分を有し、該着色部分及び該非着色部分が、該トップシートの見える表面から見え、該着色部分が少なくとも二つの色調、第１色調及び第２色調を有し、該第１色調が実質的に該第２色調中に配置され、該第２色調が該第１色調とは異なり、
前記着色部分が、前記トップシートと前記吸収性コアとの間に配置された挿入物である、吸収性物品。
【請求項２】
前記第１色調が前記第２色調よりも暗い、請求項１に記載の吸収性物品。
【請求項３】
前記着色部分の第１色調及び第２色調と前記非着色部分とが、ハンター反射率メーターテストによって色のＬ、ａ、及びｂの値により測定され、該Ｌ、ａ、及びｂの値が、前記吸収性物品の周辺部におけるトップシート内側の見える表面から測定され、
前記着色部分と前記非着色部分との間の色の違いが、前記吸収性物品の周辺部におけるトップシート内側の見える表面上の第１点、第２点、及び第３点で測定され、該第１点が、前記第１色調内で測定され、該第２点が前記第２色調内で測定され、並びに該第３点が該吸収性物品の該非着色部分内で測定され、該色の違いが、前記Ｌ、ａ、及びｂの値を使用して式ΔＥ＝［（Ｌ＊X．−Ｌ＊Y）2＋（ａ＊X．−ａ＊Y）2＋（ｂ＊X−ｂ＊Y）2］1/2によって計算され、
前記第１色調と前記第２色調との間の色の違いが、少なくとも３．５である請求項１または２に記載の吸収性物品。
【請求項４】
前記着色部分の第１色調及び第２色調と前記非着色部分とが、ハンター反射率メーターテストによって色のＬ、ａ、及びｂの値により測定され、該Ｌ、ａ、及びｂの値が、前記吸収性物品の周辺部におけるトップシート内側の見える表面から測定され、
前記着色部分と前記非着色部分との間の色の違いが、前記吸収性物品の周辺部におけるトップシート内側の見える表面上の第１点、第２点、及び第３点で測定され、該第１点が、前記第１色調内で測定され、該第２点が前記第２色調内で測定され、並びに該第３点が該吸収性物品の該非着色部分内で測定され、該色の違いが、前記Ｌ、ａ、及びｂの値を使用して式ΔＥ＝［（Ｌ＊X．−Ｌ＊Y）2＋（ａ＊X．−ａ＊Y）2＋（ｂ＊X−ｂ＊Y）2］1/2によって計算され、
前記第１色調と前記非着色部分との間の色の違いが、少なくとも６、好ましくは少なくとも３．５である請求項１〜３のいずれか一項に記載の吸収性物品。
【請求項５】
前記着色部分の寸法が、前記トップシートの見える表面の約５％〜約９８％の範囲にある、請求項１〜４のいずれか一項に記載の吸収性物品。
【請求項６】
前記着色部分の第１色調が、前記着色部分の第２色調に対して中央に配置されている、請求項１〜５のいずれか一項に記載の吸収性物品。
【外国語明細書】
2010155099000001.pdf